(57)【要約】【課題】織機の圧力調節方法及び圧力調節システムを有する織機を提供すること。【解決手段】織機１、特に圧力調節システム１０及び複数の異なる横糸２、２’挿入用の横糸挿入システムを有する空気ジェット織機の圧力調節のための方法が提示される。この横糸挿入システムには、糸貯蔵器２ａ、２ｂ、２ａ’、２ｂ’及び主ノズル３、３’が各異なる横糸に対して設けられ、主ノズルは挿入中に糸貯蔵器からそれぞれの横糸を引っ張り出しそれを加速する。さらに圧力調節システムには、主ノズル一緒の一群に対して、圧力センサ２１、多方向バルブ２２及びそれとは別に配置される調節器２３を有する圧力調節器２０が設けられ、この調節器は圧力センサ及び多方向バルブに接続され、圧力調節器２０が横糸の挿入のためにそれに対応する群の主ノズル３、３’に連結される。【選択図】図２
2009068160.tif 000002
【特許請求の範囲】
【請求項１】
織機（１）、特に圧力調節システム（１０）及び複数の異なる横糸（２、２’）挿入用の横糸挿入システムを有する空気ジェット織機の圧力調節のための方法であって、糸貯蔵器（２ａ、２ｂ、２ａ’、２ｂ’）及び主ノズル（３、３’）が各異なる横糸に対して設けられ、前記主ノズルが前記挿入中に前記糸貯蔵器から前記それぞれの横糸を引っ張り出し、加速する方法において、
圧力センサ（２１）、多方向バルブ（２２）及びこの多方向バルブとは別に配置される調節器（２３）を有する圧力調節器（２０）が、主ノズルの一群に対して圧力調節システム（１０）内に設けられ、前記調節器が前記圧力センサ及び前記多方向バルブに接続され、前記圧力調節器（２０）が横糸の挿入のために該横糸に対応する群の前記主ノズル（３、３’）に連結されることを特徴とする、方法。
【請求項２】
さらに、各異なる横糸（２、２’）に対し１つ又は複数のタンデム・ノズル（４、４’）が前記横糸挿入システム内に設けられ、圧力センサ（２１）、多方向バルブ（２２）及びこの多方向バルブとは別に配置される調節器（２３）を有する圧力調節器（２０）が、タンデム・ノズルの一群に対して前記圧力調節システム（１０）内に設けられ、前記調節器が前記圧力センサ及び前記多方向バルブに接続され、前記圧力調節器が横糸の挿入のために該横糸に対応する群の前記タンデム・ノズル又は複数のノズルに連結される、請求項１に記載の方法。
【請求項３】
圧力センサ（２１）、多方向バルブ（２２）及びこの多方向バルブとは別に配置される調節器（２３）を有するそれぞれの圧力調節器（２０）が、全ての主ノズル（３、３’）に対して、且つ／又は全てのタンデム・ノズル（４、４’）に対して前記圧力調節システム内に設けられ、前記調節器が前記圧力センサと前記多方向バルブに接続され、前記それぞれの圧力調節器が横糸の前記挿入のために対応する前記主ノズル及びタンデム・ノズル又は複数のタンデム・ノズルに連結される、請求項１又は請求項２に記載の方法。
【請求項４】
１つ又は複数の横糸センサ（１３）と１つの調節ユニットとがさらに前記圧力調節システム内に設けられ、前記調節ユニットは前記横糸センサ及び前記圧力調節器又は複数の圧力調節器に接続され、前記異なる横糸（２、２’）の挿入時間及び／又は挿入速度が前記横糸センサを使用して検出され、各横糸に対し当該横糸に関連する前記主ノズル及び／又はタンデム・ノズル／複数のタンデム・ノズルが動作させられる圧力が、検出された前記挿入時間及び／又は前記挿入速度に応じて、設定され且つ／又は調節される、請求項１から３までのうちのいずれか一項に記載の方法。
【請求項５】
織機、特に圧力調節システムを有し、且つ各異なる横糸用の糸貯蔵器（２ａ、２ｂ、２ａ’、２ｂ’）及び挿入中に前記糸貯蔵器からそれぞれの横糸を引っ張り出し前記それぞれの横糸を加速するための主ノズル（３、３’）を含み、且つ前記圧力調節システムに接続される、複数の異なる横糸（２、２’）挿入用の横糸挿入システムを含むジェット織機において、前記圧力調節システム（１０）が、主ノズルの一群に対して、圧力センサ（２１）、多方向バルブ（２２）及びこの多方向バルブとは別に配置される調節器（２３）を有する圧力調節器（２０）を含み、前記調節器が前記圧力センサ及び／又は前記多方向バルブに接続され、且つ前記圧力調節器は前記一群の主ノズル（３、３’）のそれぞれに連結可能であることを特徴とする、織機。
【請求項６】
前記横糸挿入システムがさらに各異なる横糸（２、２’）に対し１つ又は複数のタンデム・ノズル（４、４’）を含み、前記圧力調節システムがタンデム・ノズル一緒の一群に対して、圧力センサ（２１）、多方向バルブ（２２）及びこの多方向バルブとは別に配置される調節器（２３）を有する圧力調節器（２０）を含み、前記調節器が前記圧力センサ及び前記多方向バルブに接続され、前記圧力調節器は横糸の前記挿入のために前記一群のタンデム・ノズルのそれぞれに連結可能である、請求項５に記載の織機。
【請求項７】
前記圧力調節システムがそれぞれ全ての主ノズル（３、３’）に対し、且つ／又は全てのタンデム・ノズルに対し、圧力センサ（２１）、多方向バルブ（２２）及びこの多方向バルブとは別に配置される調節器（２３）を有する圧力調節器（２０）を含み、前記調節器が前記圧力センサ及び前記多方向バルブに接続され、それぞれの前記圧力調節器は前記主ノズル（３、３’）のそれぞれ及び／又は前記タンデム・ノズル（４、４’）のそれぞれに連結可能である、請求項５又は請求項６に記載の織機。
【請求項８】
前記圧力調節システムがさらに前記様々な横糸（２、２’）の挿入時間及び／又は挿入速度の検出のための１つ又は複数の横糸センサ（１３）と調節ユニットとを含み、前記調節ユニットが、対応する前記主ノズル（３、３’）及び／又は対応する前記タンデム・ノズル（４、４’）に加えられる圧力を、検出された前記挿入時間及び／又は前記挿入速度に応じて、各横糸に対し設定し且つ／又は調節するために、前記横糸センサ及び前記圧力調節器又は複数の圧力調節器に接続される、請求項５から７までのうちのいずれか一項に記載の織機。
【請求項９】
前記圧力調節システムが、各場合で各主ノズル（３、３’）及び／又はタンデム・ノズル（４、４’）に対し、当該主ノズル又はタンデム・ノズルを前記それぞれの圧力調節器に連結することができるバルブ（１７、１７’）をさらに含む、請求項５から８までのうちのいずれか一項に記載の織機。
【請求項１０】
前記圧力調節システムが、前記圧力調節器又は複数の圧力調節器（２０）が接続される圧力ライン（１１）及び／又は前記圧力ラインに接続される圧力タンク（１８）をさらに含む、請求項５から９までのうちのいずれか一項に記載の織機。
【発明の詳細な説明】
【技術分野】
【０００１】
本発明は織機、より詳しくは請求項１のプレアンブルに記載のジェット織機の圧力調節方法、並びに請求項５のプレアンブルに記載の圧力調整システムを有する織機、より詳しくはジェット織機に関する。
【背景技術】
【０００２】
織機、特にジェット織機では、糸貯蔵器から引き出される横糸が主ノズルによって、且つ必要に応じてさらにタンデム・ノズルによって加速され、ひ道内に挿入されその中でいわゆる補助ノズル又はリレー・ノズルによってそれはさらに移送される。最も単純な場合、主ノズル及び必要に応じてタンデム・ノズルは、それぞれ固定して設定される圧力、及び固定される吹き込み時間を受ける。しかしながら圧力及び吹き込み時間の固定した設定は、この設定が常に、全ての条件の下で横糸挿入時間を維持することができるのに十分高くなければならないので、結果として圧力媒体の比較的高い消費になる。したがって、圧力媒体の消費を減少させるために、圧力調節のための装置及び方法が開発されてきている。例えば、圧縮空気で作動する主ノズルの圧力調節のための装置及び方法が欧州特許出願公開第４９４０５０号に記載され、そこでは横糸挿入時間が測定され、主ノズルに加えられる圧力がこの測定される横糸挿入時間に基づいて調節される。
【０００３】
形成されるべき織物が複数の異なる横糸、例えば、異なる太さ、色又は風合いを有する横糸を含む場合、通例の織機では、糸貯蔵器、主ノズル並びに圧力又は流量調節器が、これらの異なる横糸の各々に対してそれぞれ設けられ、それによってそれぞれの主ノズルが受ける圧力又は通気流量を設定することができる。このようにすると、圧力又は通気流量を関連する横糸に対して適応させることが可能である。それぞれの主ノズル及びタンデム・ノズルに対する圧力を測定される横糸挿入時間に基づく調節は、通常は省略される。これは、各異なる横糸に対しそれぞれの主ノズル用の制御可能な圧力調節器、及び大概はそれぞれのタンデム・ノズル用のさらなる制御可能な圧力調節器が必要とされ、この制御可能な圧力調節器のためのコスト及び複雑性、制御及び接続が比較的高いからである。
【発明の開示】
【発明が解決しようとする課題】
【０００４】
本発明の目的は、織機、特にジェット織機の圧力調節方法、並びに通例の方法及び織機と比較して、主ノズル及び必要に応じてタンデム・ノズルの圧力調節のための複雑性及びコストを比較的低くし、且つ主ノズル及び必要に応じてタンデム・ノズルに加えられる圧力の調節を挿入時間又はそれぞれの横糸の速度に応じて可能にする、且つ比較的にコスト的に有利な部品で製造することができる、織機、特に圧力調節システムを有するジェット織機の両方を提供することである。
【課題を解決するための手段】
【０００５】
この目的は、請求項１に定義される圧力調節方法によって、且つ請求項５に定義される圧力調節システムを有する織機によって達成される。
【０００６】
織機、特に圧力調節システム及び複数の異なる横糸挿入用の横糸挿入システムを有する空気ジェット織機の圧力調節のための本発明の方法では、糸貯蔵器及び主ノズルが各異なる横糸に対して横糸挿入システム内に設けられ、主ノズルが挿入中に糸貯蔵器からそれぞれの横糸を引っ張り出しそれを加速する。さらに、圧力センサ、多方向バルブ及びそれとは別に配置される調節器を有する圧力調節器が、主ノズルの一群に対して圧力調節システム内に設けられ、この調節器が圧力センサ及び多方向バルブに接続され、この圧力調節器は横糸の挿入のためにそれに対応する一群の主ノズルと連結される。
【０００７】
有利な一変形例では、各異なる横糸に対して１つ又は複数のタンデム・ノズルが横糸挿入システム内にさらに設けられる。さらに、圧力センサ、多方向バルブ及びそれとは別に配置される調節器を有する圧力調節器が、タンデム・ノズルの一群に対して圧力調節システム内に設けられ、この調節器は圧力センサ及び多方向バルブに接続され、圧力調節器は横糸の挿入のためにそれに対応する一群のタンデム・ノズル又は複数のタンデム・ノズルに連結される。
【０００８】
別の有利な変形例では、圧力センサ、多方向バルブ及びそれとは別に配置される調節器を有する圧力調節器が全ての主ノズルに対して、且つ／又は全てのタンデム・ノズルに対してそれぞれ圧力調節システム内に設けられ、この調節器は圧力センサ及び多方向バルブに接続され、それぞれの圧力調節器は、横糸の挿入のためにそれに対応する主ノズル又はタンデム・ノズル又は複数のタンデム・ノズルに連結される。
【０００９】
有利な一実施例では、１つ又は複数の横糸センサと１つの調節ユニットがさらに圧力調節システム内に設けられ、この調節ユニットは横糸センサに且つ圧力調節器又は複数の圧力調節器に接続され、異なる横糸の挿入時間及び挿入速度が横糸センサを使用して検出される。さらに各横糸に対し、当該横糸に関連する主ノズル及び／又はタンデム・ノズル／複数のタンデム・ノズルに加えられる圧力が、検出された挿入時間及び／又は挿入速度に応じて、設定され且つ／又は調節される。
【００１０】
本発明による織機、特に圧力調節システムを有するジェット織機は、複数の異なる横糸の挿入用の横糸挿入システムを含み、この横糸挿入システムは、各異なる横糸用の糸貯蔵器及び挿入中にこの糸貯蔵器からそれぞれの横糸を引っ張り出しそれを加速するために主ノズルを含み、この横糸挿入システムは圧力調節システムに接続される。この織機の圧力調節システムは、圧力センサ、多方向バルブ及びそれとは別に配置される調節器を有する圧力調節器を主ノズルの一群に対して含み、この調節器は圧力センサに且つ多方向バルブに接続され、この圧力調節器は一群の主ノズルのそれぞれに連結可能である。
【００１１】
有利な一変形例では、横糸挿入システムは各異なる横糸用の１つ又は複数のタンデム・ノズルをさらに含み、この圧力調節システムはタンデム・ノズルの一群に対して、圧力センサ、多方向バルブ及びそれとは別に配置される調節器を有する圧力調節器をそれぞれ含み、この調節器は圧力センサ及び多方向バルブに接続され、この圧力調節器がこの一群のタンデム・ノズルのそれぞれに連結することができる。
【００１２】
別の有利な変形例では、圧力調節システムは全ての主ノズルに対し、且つ／又は全てのタンデム・ノズルに対し、圧力センサ、多方向バルブ及びそれとは別に配置される調節器を有する圧力調節器をそれぞれ含み、この調節器は圧力センサ及び多方向バルブに接続され、それぞれの圧力調節器は個々の主ノズル及び／又はタンデム・ノズルに連結することができる。
【００１３】
有利な一実施例では、この圧力調節システムは、異なる横糸の挿入時間及び／又は挿入速度の検出のための１つ又は複数の横糸センサと調節ユニットとをさらに含み、この調節ユニットは、当該の横糸と関連する主ノズル及び／又はタンデム・ノズルに加えられる圧力を、検出された挿入時間及び／又は挿入速度に応じて、各横糸に対し設定し且つ／又は調節するために、横糸センサ及び圧力調節器又は複数の圧力調節器に接続される。
【００１４】
圧力調節システムが、各主ノズル及び／又はタンデム・ノズルに対し、それによって当該主ノズル又はタンデム・ノズルをそれぞれの圧力調節器に連結することができるそれぞれのバルブを含むのが有利である。
【００１５】
必要に応じてこの圧力調節システムは、必要に応じて圧力調節器又は複数の圧力調節器が接続される圧力ライン及び／又はそれに接続される圧力タンクをさらに含むことができる。
【００１６】
織機及び圧力調節システムを有する本発明による織機の圧力調節のための本発明による方法は、設定部材として多方向バルブを使用することにより、圧力調節器によって比較的迅速な圧力適応時間又は反応時間が可能になり、したがって各場合で主ノズル及び／又はタンデム・ノズルの一群に対して１つの圧力調節器で十分であるという点において、通例の方法及び織機と比較してコスト及び圧力調節のための複雑性を減少させることができる利点を有する。さらに、使用されるこの圧力調節器によって、既に述べたようにそれらが最初に説明した従来技術と比較して比較的迅速に反応し、且つ必要とされる圧力調節器のより少ない数のおかげでそのような調節のためのコスト及び複雑性を相当減少させることができるので、それぞれの横糸の挿入時間又は速度に応じて、主ノズル及び必要に応じてタンデム・ノズルに加えられる圧力の調節が可能になる。圧力センサ、多方向バルブ及び別に配設される調節器などの容易に得られる且つコスト的に有利な標準構成部品の使用によって、さらなる節約が可能になる。したがって例示として、複数の調節器を、それぞれの横糸の挿入時間又は速度に応じて主ノズル及び必要に応じてタンデム・ノズルに加えられる圧力の調節をその中に任意選択で一体化することができる調節ユニット内に組み合わせることができる。さらにこの調節ユニットも、織機制御器内に一体化することができる。
【００１７】
実施例の上記の説明は、単に一例としての役割を果たす。別の有利な実施例は従属請求項及び図面から理解することができる。さらに、本発明の文脈で、説明された又は示された実施例、又は変形例からの個々の特徴は、新たな実施例を形成するために互いに組み合わせることもできる。
【００１８】
本発明を以下により詳細に実施例及び図面を参照して説明する。
【実施例】
【００１９】
例えば空気ジェット織機などの図１に示す通例のジェット織機１の図で、このジェット織機は、各々の場合に各異なる横糸用の糸貯蔵器及び挿入中にこの糸貯蔵器からそれぞれの横糸を引っ張り出しそれを加速するために主ノズル３、３’を含む、複数の異なる横糸２、２’の挿入のための横糸挿入システムを含む。糸貯蔵器２ｂ、２ｂ’は順に、例えば図１に示すようにそれぞれの横糸を糸巻２ａ、２ａ’から引き出すことができる。必要に応じて、横糸挿入システムはさらに且つそれぞれに、横糸をさらに加速しそれをジェット織機１のひ道内に挿入するために各異なる横糸用の１つ又は複数のタンデム・ノズル４、４’を含むことができる。さらに、この横糸挿入システムは通常、横糸をひ道内をさらに移送するためにひ道内に配置される複数の補助ノズル又はリレー・ノズル５を含み、且つ必要に応じて、例えばキャプチャ・ノズルを含むことができる、且つ挿入された横糸を保持するためにひ道の捕捉側に配置される捕捉及び保持装置６も含む。さらにこのジェット織機は、図１に示すように、ひ道の形成のためのひ道形成部材７及び／又は挿入された横糸をおさ打ちするためにおさ８を任意選択で含むことができる。
【００２０】
その上、この空気ジェット織機１は、主ノズル３、３’及び必要に応じてタンデム・ノズル４、４’及び／又はリレー・ノズル５に、例えば圧縮空気又は水などの圧力媒体を供給するために圧力調節システム１０を含む。この圧力調節システム１０は、例えば、図１に示すように、圧力ライン１１に接続することができ、このラインは例えば圧力タンク及び／又は例えば圧縮機などの圧力源に、且つ／又は通常ジェット織機の制御器と連通している制御ライン１２に接続される。さらに、１つ又は複数の圧力タンク１４、１つ又は複数の圧力分配器１５及び制御バルブ（図１に図示せず）も、横糸の挿入のために圧力媒体でリレー・ノズル５を作動させるために設けることができる。必要に応じて、この圧力調節システム１０はその上、横糸２、２’の挿入の時間を検出するための１つ又は複数の横糸センサ１３、及びこの横糸センサと且つ例えば検出される挿入時間に応じてリレー・ノズルの吹き込み時間を調節するために例えばリレー・ノズルの制御バルブに接続される調節ユニットを含むことができる。
【００２１】
図２は、本発明による織機の圧力調節システムの一実施例の概略図を示す。この織機、特にジェット織機は、複数の異なる横糸挿入用の横糸挿入システムを含み、この横糸挿入システムは、各異なる横糸用の糸貯蔵器及び挿入中にこの糸貯蔵器からそれぞれの横糸を引っ張り出しそれを加速するために主ノズルを含み、且つ織機の圧力調節システムに接続される。主ノズル３、３’、３’’、３’’’の一群のぞれぞれに対して、この圧力調節システムは、圧力センサ２１、例えば２／２方向バルブ又は３／２方向バルブなどの多方向バルブ２２及びそれとは別に配置される調節器を有する圧力調節器２０を含み、この調節器は圧力センサ及び多方向バルブに接続され、この圧力調節器はこの一群の主ノズルのそれぞれに連結可能である。横糸は、例えば色、繊度、風合い及び材料で識別することができる。異なる横糸の数、したがって主ノズルの全数は、用途に応じて２と８の間又は１０以上にあってよい。圧力センサ２１及び多方向バルブ２２に接続される調節器２３は、制御可能な調節器、例えば調節すべき多方向バルブの圧力出力を選択的に圧力入口又は圧力出口として接続するために電子的インパルス発生器又は電子的パルス幅調節器として便宜上設計される。
【００２２】
有利な一変形例では、ジェット織機の横糸挿入システムは、それぞれの異なる横糸のための１つ又は複数のタンデム・ノズルをさらに含み、圧力調節システムはそれぞれ、タンデム・ノズルの一群に対して、圧力センサ２１、多方向バルブ２２及びそれとは別に配置される調節器２３を有する圧力調節器２０をそれぞれ有し、この調節器は圧力センサ及び多方向バルブに接続され、この圧力調節器はその一群のタンデム・ノズルのそれぞれに連結可能である。
【００２３】
別の有利な一変形例では、この圧力調節システムはそれぞれ、全ての主ノズル３、３’、３’’、３’’’且つ／又は全てのタンデム・ノズルに対して、圧力センサ２１、多方向バルブ２２及びそれとは別に配置される調節器２３を有する圧力調節器２０を含み、この調節器は圧力センサ及び多方向バルブに接続され、このそれぞれの圧力調節器は個々の主ノズル又はタンデム・ノズルにそれぞれ連結可能である。
【００２４】
別の有利な一変形例では、圧力調節器の圧力センサ２１は多方向バルブ２２内に組み込まれ又は一体化され、或いは圧力センサ及び多方向バルブ２２は共通の構造体ユニットを形成する。
【００２５】
有利な一実施例では、この圧力調節システムはさらに、異なる横糸の挿入持続時間及び／又は挿入速度の検出のための１つ又は複数の横糸センサと、検出された挿入持続時間又は挿入速度に応じて、当該の横糸と関連する主ノズル３、３’、３’’、３’’’及び／又はタンデム・ノズルに加えられる圧力を各横糸に対し設定し且つ／又は調節するために、例えば制御ライン２３ａを介してこの横糸センサ及び圧力調節器又は複数の圧力調節器２０に接続される調節ユニットとを含む。
【００２６】
この圧力調節システムは、それによって当該の主ノズル３、３’、３’’、３’’’又はタンデム・ノズルをそれぞれの圧力調節器２０に連結することができる、各主ノズル及び／又はタンデム・ノズル用のそれぞれのバルブ１７、１７’、１７’’、１７’’’をさらに含むのが有利である。必要に応じて、圧力分配器１６をバルブ１７、１７’、１７’’、１７’’’とそれぞれの圧力調節器２０の間に設けることができる。必要な場合この圧力調節システムはさらに、圧力調節器又は複数の圧力調節器２０及び特にそれぞれの多方向バルブ２２の圧力入口が接続される圧力ライン１１を含むことができる。それぞれの多方向バルブ２２の圧力出口は、圧力調節器２０によって生じる音響レベルを減衰させるために、例えば音響ダンパー２４に接続することができる。これは特に、例えば圧縮空気が環境に排出される場合有利である。
【００２７】
図３は、本発明による織機用の圧力調節システムの第２の実施例の概略図を示す。この織機、特にジェット織機は、複数の異なる横糸の挿入用の横糸挿入システムを含み、この横糸挿入システムは、各異なる横糸用の糸貯蔵器及び挿入中にこの糸貯蔵器からそれぞれの横糸を引っ張り出しそれを加速するために主ノズルを含み、且つ織機の圧力調節システムに接続される。この圧力調節システムはそれぞれ、主ノズル３、３’、３’’、３’’’の一群に対して、圧力センサ２１、多方向バルブ２２及びそれとは別に配置される調節器２３を有する圧力調節器２０を含み、この調節器は圧力センサ及び多方向バルブに接続され、この圧力調節器はこの一群の主ノズルのそれぞれに連結可能である。
【００２８】
図３に示すこの第２の実施例は、圧力供給を中断するために追加のバルブ１９が圧力調節器２０の上流側、特に多方向バルブ２２の圧力入口の上流側に設けられている点でのみ、図２に示す実施例と異なる。織機、特に圧力調節システムに対するレイアウトの詳細及び考え得る実施例及び変形例に関しては、図２に関する上記の第１の実施例の場合と同様である。
【００２９】
圧力センサ２１、多方向バルブ２２及びそれとは別に配置される調節器２３を有する前述の圧力調節器２０は、調節器が特定のサイクル速度で圧力入口と圧力出口の間で多方向バルブを切り替えるという点において、所望の圧力を維持するために圧力媒体を連続的に消費させるという特性を有する。他方では、この２つの状態のうちの１つで多方向バルブを停止させる場合は、圧力出口のところの圧力は圧力入口に加えられる圧力に上昇するか、或いは圧力出口のところの圧力、すなわち通常は環境圧力に落ち込むかのいずれかである。圧力媒体の連続消費は、横糸挿入の一時停止の陳に特に妨害となる。図３に示す実施例で圧力調節器の入口に設けられるこの追加のバルブ１９は、多方向バルブの圧力入口開を伴う横糸挿入の一時停止で、圧力出口のところの圧力媒体が消費されることなく圧力が長時間にわたり維持されるように、圧力供給を中断することができる利点を有する。
【００３０】
図４は、本発明による織機の圧力調節システムの第３の実施例の概略図を示す。この織機、特にジェット織機は、各異なる横糸用の糸貯蔵器及び挿入中にこの糸貯蔵器からそれぞれの横糸を引っ張り出しそれを加速するために主ノズルを含み、且つ織機の圧力調節システムに接続される、複数の異なる横糸挿入用の横糸挿入システムを含む。圧力調節システムはそれぞれ、主ノズル３、３’、３’’、３’’’の一群に対して、圧力センサ２１、多方向バルブ２２及びそれとは別に配置される調節器を有する圧力調節器２０を含み、この調節器は圧力センサ及び多方向バルブに接続され、この圧力調節器は一群の主ノズルの各々に連結可能である。
【００３１】
図４に示すこの第３の実施例は、圧力タンク１８及び必要に応じて、追加の圧力センサ２１’が圧力調節器２０の上流側、特に多方向バルブ２２の圧力入口の上流側に設けられていることでのみ、図２に示す実施例から区別される。織機の構造に対する、特に圧力調節システムの詳細及び考え得る実施例及び変形例に関しては、図２の説明に関連して説明された上記の第１の実施例に対する言及と同様である。
【００３２】
図４に示す実施例で圧力調節器の入口側に設けられる圧力タンク１８は、圧力媒体の変動する消費量を伴うとき、且つ／又はあまり一定ではない圧力源の場合でも、多方向バルブの圧力入口のところの圧力を安定化させるのを可能にする。当然のことながら、例えば主ノズル用及びタンデム・ノズル用それぞれの圧力調節器などの、複数の圧力調節器を同じ圧力タンクに接続することができる。必要に応じて圧力調節器の上流側に配置され、調節器２３に接続するのが有利である追加の圧力センサ２１’は、調節器２３が圧縮空気供給の圧力変化に対してタイムリーに反応できるように、圧縮空気供給の圧力を検出することができる。
【００３３】
図５は、本発明による織機の圧力調節システムの第４の実施例の概略図を示す。この織機、特にジェット織機は、各異なる横糸用の糸貯蔵器及び挿入中にこの糸貯蔵器からそれぞれの横糸を引っ張り出しそれを加速するために主ノズルを含み、且つ織機の圧力調節システムに接続される、複数の異なる横糸挿入用の横糸挿入システムを含む。この圧力調節システムはそれぞれ、主ノズル３、３’、３’’、３’’’の一群に対して、圧力センサ２１、多方向バルブ２２及びそれとは別に配置される調節器２３を有する圧力調節器２０を含み、この調節器は圧力センサ及び多方向バルブに接続され、この圧力調節器はこの一群の主ノズルのそれぞれに連結可能である。
【００３４】
図５に示すこの第４の実施例は、追加のバルブ１９が圧力調節器２０の上流側、特に多方向バルブ２２の圧力入口の上流側に設けられている点において、且つ圧力タンク１８及び必要に応じて追加の圧力センサ２１’がこの追加のバルブ１９の前方に設けられている点でのみ、図２に示す実施例から区別される。織機の構造に対する、特に圧力調節システムの詳細及び考え得る実施例については、図２の説明の文脈で説明された上記の第１の実施例の場合と同様である。
【００３５】
図５に示す実施例で設けられる追加のバルブ１９、圧力タンク１８及び、必要に応じて追加の圧力センサ２１’の動作方法及び利点の態様は、図３に示す第２の実施例の、且つ図４に示す第３の実施例の上記の説明の文脈で説明されたものと同様である。
【００３６】
織機、特に圧力調節システム１０及び複数の異なる横糸２、２’挿入用の横糸挿入システムを有するジェット織機の圧力調節のための本発明による方法の一実施例を、以下で図１から５を参照して説明する。この方法では、それぞれの糸貯蔵器２ａ、２ａ’、２ｂ、２ｂ’及び主ノズル３、３’は、各異なる横糸用に横糸挿入システム内に設けられ、主ノズルが横糸挿入中に糸貯蔵器からそれぞれの横糸を引っ張り出しそれを加速する。さらに、圧力調節システムには、主ノズル３、３’の一群に対して、圧力センサ２１、多方向バルブ２２及びそれとは別に配置される調節器２３を有する圧力調節器２０が設けられ、調節器は圧力センサ及び多方向バルブに接続され、圧力調節器は横糸の挿入のためにそれに対応する一群の主ノズルに、例えばバルブ１７、１７’、１７’’、１７’’’を介して連結される。
【００３７】
この方法の有利な一変形例では、１つ又は複数のタンデム・ノズル４、４’が各異なる横糸に対して横糸挿入システム内にさらに設けられる。さらに、圧力調節システムには、タンデム・ノズルの一群に対して、圧力センサ２１、多方向バルブ２２及びそれとは別に配置される調節器２３を有する圧力調節器２０が設けられ、調節器は圧力センサ及び多方向バルブに接続され、圧力調節器は横糸挿入のためにそれに対応する一群のタンデム・ノズル又は複数のタンデム・ノズルに、例えばバルブ１７、１７’、１７’’、１７’’’を介して連結される。
【００３８】
この方法の別の有利な変形例では、全ての主ノズル３、３’に対し、且つ／又は全てのタンデム・ノズル４、４’に対して、圧力センサ２１、多方向バルブ２２及びそれとは別に配置される調節器２３を有する圧力調節器２０が設けられ、調節器は圧力センサ及び多方向バルブに接続され、それぞれの圧力調節器は横糸挿入のために主ノズル又はこれに対応するタンデム・ノズル又は複数のタンデム・ノズルに、例えばバルブ１７、１７’、１７’’、１７’’’を介して連結される。
【００３９】
この方法の有利な一実施例では、圧力調節システム内に１つ又は複数の横糸センサ１３と、図に示されない、この横糸センサ及びこの圧力調節器又は複数の圧力調節器２０に接続される調節ユニットとがさらに設けられ、異なる横糸２、２’の挿入持続時間及び／又は挿入速度がこの横糸センサを使用して検出される。さらに各横糸に対して、当該の横糸と関連する主ノズル及び／又はタンデム・ノズル又は複数のタンデム・ノズルが受けるそれぞれの圧力が、検出された挿入持続時間及び／又は挿入速度に応じて、特に当該の横糸に対して且つ／又は同じ主ノズルで挿入される横糸に対して検出された挿入持続時間及び／又は挿入速度に応じて設定され且つ／又は調節される。
【００４０】
織機の圧力調節のための上記で説明した方法、及び圧力調節システムを有する上記で説明した織機は、例えば横糸挿入中に、対応する主ノズル及びタンデム・ノズルが受けるそれぞれの圧力を実際に挿入される横糸に対して調節することができるように、比較的迅速な圧力適応、すなわち比較的迅速な反応時間を可能にする利点を有する。さらに、説明された方法及び説明された織機は、各場合で主ノズル又はタンデム・ノズルの一群、又は全ての主ノズル又はタンデム・ノズルに対してただ１つの圧力調節器しか必要としないので、節約を可能にする。さらに説明された圧力調節器は、調節器と多方向バルブの間の配置によってもたらされる分離のおかげで、１つ又は複数の調節ユニットに組み合わせることができる利点を有する。
【図面の簡単な説明】
【００４１】
【図１】通例のジェット織機の斜視図である。
【図２】本発明による織機の圧力調節システムの一実施例の概略図である。
【図３】本発明による織機の圧力調節システムの第２の実施例の概略図である。
【図４】本発明による織機の圧力調節システムの第３の実施例の概略図である。
【図５】本発明による織機の圧力調節システムの第４の実施例の概略図である。
【符号の説明】
【００４２】
１  織機
２、２’  横糸
２ａ、２ｂ、２ａ’、２ｂ’  糸貯蔵器
３、３’、３’’、３’’’  主ノズル
４、４’  タンデム・ノズル
５  補助（リレー）ノズル
６  捕捉及び保持装置
７  ひ道形成部材
８  おさ
１０  圧力調節システム
１１  圧力ライン
１２  制御ライン
１３  横糸センサ
１４  圧力タンク
１５  圧力分配器
１６  圧力分配器
１７、１７’、１７’’、１７’’’  バルブ
１８  圧力タンク
１９  バルブ
２０  圧力調節器
２１、２１’  圧力センサ
２２  多方向バルブ
２３  調節器
２３ａ  制御ライン
２４  音響ダンパー
【図１】
2009068160.tif 000003
【図２】
2009068160.tif 000004
【図３】
2009068160.tif 000005
【図４】
2009068160.tif 000006
【図５】
2009068160.tif 000007